(57)【要約】【課題】見栄えが良いと共に支柱部分に汚れが溜まりにくく、カウンターへの設置作業も容易に行うことができるキッチン用の仕切ユニットを提供する。【解決手段】システムキッチン１のカウンター２の上面にパッキンＰを介してねじ止めされる左右一対の台座１０と、この台座１０に装着される仕切部材２０とからなり、仕切部材２０は、仕切板２１と、仕切板２１の上端縁及び下端縁にそれぞれ嵌着される上枠２２及び下枠２３と、上枠２２及び下枠２３の両端部がそれぞれ連結される左右一対の筒状の支柱２４と、支柱２１の上端開口部を閉塞するキャップ２７とから構成されている。支柱２４は、上端から下端にわたって外周面に形成された、仕切板２１の両側部が当接する平坦な当接面と、上端から下端にわたって内周面に連設された、上枠２２及び下枠２３がねじ止めされるねじ止め部とを有し、ねじ止め部は当接面に対応する位置に配設されている。【選択図】        図２
2014226455.tif 000002
【特許請求の範囲】
【請求項１】
キッチンカウンターの上部を台所側とダイニングルーム側とに区画する仕切ユニットであって、
前記キッチンカウンターの上面に固定設置される台座と、
前記台座に装着される仕切部材と
を備え、
前記仕切部材は、
仕切板と、
前記仕切板の上端縁に嵌着される上枠と、
前記仕切板の下端縁に嵌着される下枠と、
前記台座に嵌合する一対の筒状の支柱とを備え、
前記支柱は、上端から下端にわたって外周面に形成された、前記仕切板の両側部が当接する平坦な当接面と、上端から下端にわたって内周面に連設された、前記上枠及び前記下枠がねじ止めされるねじ止め部とを有し、
前記ねじ止め部は、前記当接面に対応する位置に配設されていることを特徴とする仕切ユニット。
【請求項２】
前記支柱は、上端から下端にわたって内周面に形成された、前記上枠の端部が当接する平坦な当接面を有している請求項１に記載の仕切ユニット。
【請求項３】
前記支柱の上端開口部を閉塞するキャップを有し、
前記キャップは、前記上枠に係止されている請求項１または２に記載の仕切ユニット。
【発明の詳細な説明】
【技術分野】
【０００１】
この発明は、対面式キッチンにおけるカウンターの上部を台所側とダイニング側とに区画する仕切ユニットに関する。
【背景技術】
【０００２】
ダイニングキッチンを台所側とダイニングルーム側とに区画する対面式キッチンは、壁面に沿って配設されるキッチンとは異なり、コンロ等の奥側にダイニングルームが開放されているので、調理する際、コンロに載せられたフライパン等の調理器からダイニングルーム側に油が飛び散ったり、ダイニングルーム側から台所側に気流が発生することに伴い、ガスコンロの火炎が揺れたり、吹き消えたりするおそれがある。このため、図１６に示すように、対面式キッチン５０のカウンター５１には、その上部を、台所Ｋ側とダイニングルームＤ側とに区画する仕切ユニット６０をコンロ５２の奥側に設置するのが一般的である。
【０００３】
この種の仕切ユニット６０としては、例えば、図１７に示すように、カウンター５１に取り付ける一対の台座６１、６１と、それぞれの台座６１、６１上に立設される円筒状の支柱６２、６２と、上端縁及び下端縁に嵌着した上枠６３及び下枠６４を介して支柱６２、６２に支持される仕切板６５と、支柱６２、６２の上端部に取り付けられるキャップ６６、６６とから構成されており、仕切板６５の両側縁と支柱６２、６２との間にはある程度の隙間が形成されている。
【０００４】
以上のように構成された仕切ユニット６０は、以下のようにして設置される。まず、カウンター５１上に所定間隔を開けて一対の台座６１、６１をねじ止めし、この台座６１、６１の上に下枠６４を掛け渡した後に、支柱６２、６２を、その下端部に形成された切欠部を下枠６４の両端部に嵌め込むようにして、台座６１、６１上に立設する。そして、支柱６２、６２にボルト６２ａ、６２ａをそれぞれ挿通してその下端部を台座６１、６１に螺着すると共に支柱６２、６２の上部に形成された固定座を貫通して上方に突出するボルト６２ａ、６２ａの上部にナット６２ｂ、６２ｂをねじ込んでボルト６２ａ、６２ａを支柱６２、６２に固定した後、仕切板６５を下枠６４の上面に形成された溝部に嵌め込み、仕切板６５の上端縁に上枠６３の溝部を嵌め込むと共に上枠６３の両端部を支柱６２、６２の固定座に掛け渡し、キャップ６６、６６をボルト６２ａ、６２ａの上端にねじ込むことによって上枠６３の両端部を支柱６２、６２の固定座との間に挟み込むと、仕切部材６０の設置が完了する。
【先行技術文献】
【特許文献】
【０００５】
【特許文献１】特開２００５−２３７７６４号公報
【特許文献２】特開２０１２−１２５３２８号公報
【発明の概要】
【発明が解決しようとする課題】
【０００６】
しかしながら、上述した仕切ユニット６０は、仕切板６５の両側縁と支柱６２、６２との間にある程度の隙間が形成されているので、見栄えが悪く、しかも、台座６１、６１に対して、下枠６４、支柱６２、６２、上枠６３及びキャップ６６、６６等の部材を順次組み付けていく必要があるので、キッチンカウンター５１への設置作業が繁雑であるという問題がある。
【０００７】
このため、図１８に示すように、予め、仕切板６５Ａの両側縁及び上下縁に枠材６２Ａ、６２Ａ、６３Ａ、６４Ａを取り付けておき、これをカウンターに取り付けた台座６１Ａ、６１Ａの溝部に嵌入することによって設置するタイプの仕切ユニットも提案されているが、通常、仕切板６５Ａは透明または半透明のガラス板や合成樹脂板によって形成されているので、仕切板６５Ａの両側縁に枠材６２Ａ、６２Ａが取り付けられた仕切ユニットでは、仕切板６５Ａの側縁部に枠材６２Ａ、６２Ａの陰ができてしまうと共に、枠材６２Ａ、６２Ａ、６３Ａ、６４Ａの溝部に油等の汚れが溜まり易いといった問題がある。
【０００８】
そこで、この発明の課題は、見栄えが良いと共に支柱部分に汚れが溜まりにくく、カウンターへの設置作業も容易に行うことができるキッチン用の仕切ユニットを提供することにある。
【課題を解決するための手段】
【０００９】
上記の課題を解決するため、請求項１に係る発明は、キッチンカウンターの上部を台所側とダイニングルーム側とに区画する仕切ユニットであって、前記キッチンカウンターの上面に固定設置される台座と、前記台座に装着される仕切部材とを備え、前記仕切部材は、仕切板と、前記仕切板の上端縁に嵌着される上枠と、前記仕切板の下端縁に嵌着される下枠と、前記台座に嵌合する一対の筒状の支柱とを備え、前記支柱は、上端から下端にわたって外周面に形成された、前記仕切板の両側部が当接する平坦な当接面と、上端から下端にわたって内周面に連設された、前記上枠及び前記下枠がねじ止めされるねじ止め部とを有し、前記ねじ止め部は、前記当接面に対応する位置に配設されていることを特徴とする仕切ユニットを提供するものである。
【００１０】
また、請求項２に係る発明は、請求項１に係る発明の仕切ユニットにおいて、前記支柱は、上端から下端にわたって内周面に形成された、前記上枠及び前記下枠の端部が当接する平坦な当接面を有していることを特徴としている。
【００１１】
また、請求項３に係る発明は、請求項１または２に係る発明の仕切ユニットにおいて、前記支柱の上端開口部を閉塞するキャップを有し、前記キャップは、前記上枠に係止されていることを特徴としている。
【発明の効果】
【００１２】
以上のように、請求項１に係る発明の仕切ユニットは、仕切板の両側部を支柱の外周面に形成された平坦な当接面に当接させているので、仕切板の両側縁と支柱との間にある程度の隙間が形成されている従来の仕切ユニットとは異なり、見栄えがよく、さらに、仕切板の両側縁及び上下縁に枠材を取り付けた従来の仕切ユニットのように、仕切板の側縁部に枠材の陰ができたり、枠材の溝部に油等の汚れが溜まり易いといった問題も発生しない。
【００１３】
また、予め、仕切板の上縁及び下縁に上枠及び下枠を取り付けると共に、上枠及び下枠の両端部を支柱のねじ止め部にねじ止めしておき、これをカウンターに取り付けた台座に装着すればよいので、カウンターへの設置作業も容易に行うことができる。
【００１４】
また、請求項２に係る発明の仕切ユニットは、支柱が、上端から下端にわたって内周面に形成された、上枠の端部が当接する平坦な当接面を有しているので、上枠の端部を支柱の内周面に形成された当接面に当接させることで、支柱に対して上枠を位置決めすることができ、上枠の両端部を支柱のねじ止め部にねじ止めし易いという効果がある。
【００１５】
また、請求項３に係る発明の仕切ユニットは、支柱の上端開口部を閉塞するキャップを有しており、このキャップは上枠に係止されているので、支柱の上端開口部に単に嵌着する場合に比べて外れにくいという効果がある。
【図面の簡単な説明】
【００１６】
【図１】（ａ）はこの発明に係る仕切ユニットの一実施形態を設置したシステムキッチンを示す正面図、（ｂ）は同上のシステムキッチンを示す平面図である。
【図２】同上の仕切ユニットを示す分解正面図である。
【図３】同上の仕切ユニットを示す分解斜視図である。
【図４】（ａ）は同上の仕切ユニットを構成している台座を示す斜視図、（ｂ）は同上の台座を示す平面図、（ｃ）は同上の台座を示す側面図、（ｄ）は同上の台座を示す正面図である。
【図５】（ａ）は同上の仕切ユニットを構成している上枠を示す平面図、（ｂ）は同上の上枠を示す底面図、（ｃ）は同上の上枠を示す端面図である。
【図６】（ａ）は同上の仕切ユニットを構成している下枠を示す平面図、（ｂ）は同上の下枠を示す底面図、（ｃ）は同上の下枠を示す端面図である。
【図７】（ａ）、（ｂ）は同上の仕切ユニットを構成している支柱を示す側面図である。
【図８】（ａ）は同上の支柱を示す平面図、（ｂ）は（ａ）のＸ−Ｘ線に沿った断面図である。
【図９】（ａ）は同上の仕切ユニットを構成しているキャップを示す平面図、（ｂ）は同上のキャップを示す正面図、（ｃ）は同上のキャップを示す底面図、（ｄ）は同上のキャップを示す側面図である。
【図１０】同上の仕切ユニットを構成している仕切板に上枠及び下枠を嵌着した状態を示す正面図である。
【図１１】上枠及び下枠を嵌着した仕切板を支柱に取り付けた状態を示す正面図である。
【図１２】（ａ）は支柱への上枠の支持状態を示す平面図、（ｂ）は同上の状態を示す縦断面図である。
【図１３】（ａ）は支柱への下枠の支持状態を示す底面図、（ｂ）は同上の状態を示す縦断面図である。
【図１４】（ａ）は支柱にキャップを取り付けた状態を示す横断面図、（ｂ）は同上の状態を示す縦断面図である。
【図１５】（ａ）は台座に仕切り部材の支柱を取り付けた状態を示す横断面図、（ｂ）は同上の状態を示す縦断面図である。
【図１６】カウンターに仕切ユニットが取り付けられた従来のシステムキッチンを示す斜視図である。
【図１７】同上の仕切ユニットを示す部分断面図である。
【図１８】従来の他の仕切ユニットを示す斜視図である。
【発明を実施するための形態】
【００１７】
以下、実施の形態について図面を参照して説明する。図１は、本発明の仕切ユニットを採用したシステムキッチンを示している。このシステムキッチン１は、同図に示すように、ダイニングキッチンを台所Ｋ側とダイニングルームＤ側とに区画するように配設された対面式キッチンであり、シンク３、ガスコンロ４等が装着されるカウンター２と、このカウンター２を支持するステンレス製のベースキャビネット５とを備えている。
【００１８】
また、前記カウンター２には、同図（ａ）、（ｂ）に示すように、調理する際、ガスコンロ４に載せられたフライパン等の調理器からダイニングルームＤ側に油が飛び散ったり、ダイニングルームＤ側から台所Ｋ側に流れ込む気流の影響により、ガスコンロ４の火炎が揺れたり、吹き消えたりしにくいように、カウンター２の上部を台所Ｋ側とダイニングルームＤ側とに区画する仕切ユニット６が、ベースキャビネット５からの張出部分のガスコンロ４のダイニングルームＤ側に立設されている。
【００１９】
前記仕切ユニット６は、図２及び図３に示すように、パッキンＰを介してカウンター２の上面にねじ止めされる、亜鉛ダイキャストにメッキ処理を施した左右一対の台座１０と、この台座１０に装着される仕切部材２０とから構成されており、仕切部材２０は、厚さ５ｍｍの強化ガラスによって形成された仕切板２１と、この仕切板２１の上端縁及び下端縁にそれぞれ嵌着されるアルミニウム押出材からなる上枠２２及び下枠２３と、上枠２２及び下枠２３の両端部がそれぞれ連結されるアルミニウム押出材からなる左右一対の筒状の支柱２４と、この支柱２４の上端開口部を閉塞する合成樹脂製のキャップ２７とから構成されている。
【００２０】
前記台座１０は、図４（ａ）〜（ｄ）に示すように、下枠２３の端部が嵌合する切欠部１１ａ及びカウンター２にねじ止めするねじＳ１を挿通する挿通孔１１ｂ、１１ｂが形成された底板１１と、切欠部１１ａ周辺を除いて、底板１１の外周縁から立ち上がる周壁１２とを備えており、外面及び内面がそれぞれ平坦面１２ｂ、１２ｃとなっている周壁１２における外側（切欠部１１ａの反対側）の肉厚部分には、支柱２４をねじ止めするねじＳ２が螺合するねじ孔１２ａ、１２ａが形成されている。
【００２１】
前記仕切部材２０の上枠２２は、図５（ａ）〜（ｃ）に示すように、支柱２４にねじ止めするねじＳ３の挿通孔２２ｃ及びキャップ２７の後述する係止部２７ｂが嵌入可能な長孔２２ｄが長手方向の両端部にそれぞれ形成された細長い上板２２ａと、この上板２２ａの幅方向の両端部から垂下する薄肉の一対の挟持板２２ｂとからなる縦断面が逆Ｕ字状の部材であり、長手方向の両端部が仕切板２１の両側部から均等に張り出すように、仕切板２１の上縁部を一対の挟持板２２ｂの間に嵌入することで仕切板２１に取り付けられる。
【００２２】
前記仕切部材２０の下枠２３は、図６（ａ）〜（ｃ）に示すように、支柱２４にねじ止めするねじＳ４の挿通孔２３ｃが長手方向の両端部にそれぞれ形成された細長い下板２３ａと、この下板２３ａの幅方向の両端部から立ち上がる薄肉の一対の挟持板２３ｂとからなる縦断面がＵ字状の部材であり、長手方向の両端部が仕切板２１の両側部から均等に張り出すように、仕切板２１の下縁部を一対の挟持板２３ｂの間に嵌入することで仕切板２１に取り付けられる。なお、下枠２３は、上板２２ａの両端部にねじの挿通孔２２ｃ及び長孔２２ｄが形成された上枠２２とは異なり、下板２３ａの両端部にねじの挿通孔２３ｃを形成するだけでよいので、全長が上枠２２よりも短く設定されている。
【００２３】
前記仕切部材２０の支柱２４は、図７（ａ）、（ｂ）及び図８（ａ）、（ｂ）に示すように、上端部及び下端部に上枠２２及び下枠２３の端部が嵌り込む切欠部２５ａ、２５ａ及び台座１０にねじ止めするねじＳ２の挿通孔２５ｂ、２５ｂが形成された筒状の本体部２５と、この本体部２５の内周面における切欠部２５ａ、２５ａに対応する位置に上端から下端にわたって連設された、上枠２２及び下枠２３がねじ止めされる横断面円弧状のねじ止め部２６とを備えており、本体部２５の外周面における切欠部２５ａ、２５ａに対応する位置には、上端から下端にわたって、仕切板２１の両側部が当接する平坦な当接面２５ｃが形成されていると共に、台座１０に外嵌めしたときに台座１０の周壁１２の外面に形成された平坦面１２ｂと係合して支柱２４を位置決めする平坦面２５ｄが形成されている。さらに、本体部２５の内周面におけるねじ止め部２６の一方の側方には、上端から下端にわたって、キャップ２７に形成された後述する凹部２７ｄと嵌合可能な突条２５ｅが形成されている。
【００２４】
前記キャップ２７は、図９（ａ）〜（ｄ）に示すように、円盤状の本体部２７ａと、この本体部２７ａの下面中央部に横断面が円形状の軸部を介して連設された平面形状が上枠２２の長孔２２ｄと略同一形状の係止部２７ｂと、本体部２７ａの下面に連設された平面形状が扇形の一対の位置決部２７ｃ、２７ｃとを備えており、位置決部２７ｃの円弧面には、支柱２４の突条２５ｅに嵌合する凹部２７ｄが形成されている。
【００２５】
以上のように構成された仕切ユニット６をカウンター２に設置するには、以下のようにして、仕切部材２０を組み立てる。まず、図１０に示すように、長手方向の両端部が仕切板２１の両側部から均等に張り出すように、仕切板２１の上端縁及び下端縁に上枠２２及び下枠２３を嵌着した後、図１１、図１２（ａ）、（ｂ）及び図１３（ａ）、（ｂ）に示すように、上枠２２及び下枠２３の両端部にそれぞれ形成された挿通孔２２ｃ及び挿通孔２３ｃにねじＳ３及びＳ４を通して、支柱２４のねじ止め部２６にねじ止めする。
【００２６】
続いて、図１４（ａ）、（ｂ）に示すように、キャップ２７の係止部２７ｂを上枠２２の長孔２２ｄに嵌入して９０度回転すると、係止部２７ｂが長孔２２ｄに係止されると共に、キャップ２７の一方の位置決部２７ｃに形成された凹部２７ｄが支柱２４の本体部２５に形成された突条２５ｅに嵌合し、キャップ２７が支柱２４の上端開口部を閉塞した状態に保持される。
【００２７】
このようにして組み立てた仕切部材２０の支柱２４の下端部を、図１５（ａ）、（ｂ）に示すように、カウンター２の所定位置にパッキンＰを介してねじＳ１でねじ止めした一対の台座１０に外嵌し、支柱２４の挿通孔２５ｂ、２５ｂにねじＳ２、Ｓ２を通して台座１０のねじ孔１２ａ、１２ａにねじ込んで固定すると、仕切ユニット６のカウンター２への設置が完了する。
【００２８】
以上のように、この仕切ユニット６は、仕切板２１の両側部に枠材を取り付けることなく、仕切板２１の両側部を支柱２４の外周面に形成された平坦な当接面２５ｃに当接させているので、仕切板の両側縁と支柱との間にある程度の隙間が形成されている従来の仕切ユニットとは異なり、見栄えがよく、さらに、仕切板の両側縁及び上下縁に枠材を取り付けた従来の仕切ユニットのように、仕切板の側縁部に枠材の陰ができたり、枠材の溝部に油等の汚れが溜まり易いといった問題も発生しない。
【００２９】
また、予め、仕切板２１の上縁及び下縁に上枠２２及び下枠２３を取り付けると共に、上枠２２及び下枠２３の両端部を支柱２４のねじ止め部２６にねじ止めしておき、これをカウンター２に取り付けた台座１０に外嵌めしてねじ止めすればよいので、カウンター２への設置作業も容易に行うことができる。
【００３０】
また、上枠２２及び下枠２３及び支柱２４は、所定の断面形状を有する押出材を切断して孔加工やねじ加工を施したものであるので、それぞれの部品を廉価に製造することができる。
【００３１】
また、この仕切ユニット６は、支柱２４が、上端から下端にわたって内周面に形成された、台座１０に対して支柱２４の位置決めを行う平坦面２５ｄを有しているので、この平坦面２５ｄに上枠２２の端部を当接させるようにしておくと、支柱２４のねじ止め部２６に対して上枠２２の挿通孔２２ｃを位置決めすることができ、上枠２２の両端部を支柱２４のねじ止め部２６にねじ止めし易いという効果がある。
【００３２】
また、支柱２４の上端開口部を閉塞するキャップ２７は上枠２２に係止されているので、支柱２４の上端開口部に単に嵌着する場合に比べて外れにくいという効果がある。
【００３３】
また、支柱２４の外周面に仕切板２１の側部を当接させる平坦な当接面２５ｃを形成すると、支柱２４の強度低下をまねくことになるが、支柱２４の内周面における当接面２５ｃに対応する位置に断面円弧状のねじ止め部２６を連設することで、そのねじ止め部２６が、支柱２４の外周面に平坦な当接面２５ｃを形成することに伴う強度低下を補強するリブの役割を果たすので、支柱２４に十分な強度を確保することができる。
【００３４】
なお、上述した実施形態では、支柱２４を台座１０に外嵌めした状態で台座１０にねじ止めしているが、これに限定されるものではなく、台座に嵌入した状態で台座にねじ止めするようにしてもよい。
【００３５】
また、上述した実施形態では、支柱２４の本体部２５の内周面に形成された平坦面２５ｄと、台座１０の周壁１２の外面に形成された平坦面１２ｂとによって、台座１０に対する支柱２４の位置決めを行っているが、これに限定されるものではなく、種々の位置決め手法を採用することができることはいうまでもない。
【００３６】
また、上述した実施形態では、キャップ２７を上枠２２に係止させているが、これに限定されるものではなく、支柱の上端開口部に単に嵌着させるものであってもよい。
【００３７】
また、上述した実施形態では、所定の断面形状のアルミニウム押出材を切断して孔加工やねじ加工を施すことによって上枠２２及び下枠２３及び支柱２４を形成しているが、これに限定されるものではなく、種々の材質や手法用いて製造することができることはいうまでもない。
【産業上の利用可能性】
【００３８】
対面式キッチンにおけるカウンターの上側空間を台所側とダイニングルーム側とに区画する場合に利用することができる。
【符号の説明】
【００３９】
１  システムキッチン
２  カウンター（キッチンカウンター）
３  シンク
４  ガスコンロ
５  ベースキャビネット
６  仕切ユニット
１０  台座
１１  底板
１１ａ  切欠部
１１ｂ  挿通孔
１２  周壁
１２ａ  ねじ孔
１２ｂ、１２ｃ  平坦面
２０  仕切部材
２１  仕切板
２２  上枠
２２ａ  上板
２２ｂ  挟持板
２２ｃ  挿通孔
２２ｄ  長孔
２３  下枠
２３ａ  下板
２３ｂ  挟持板
２３ｃ  挿通孔
２４  支柱
２５  本体部
２５ａ  切欠部
２５ｂ  挿通孔
２５ｃ  当接面
２５ｄ  平坦面
２５ｅ  突条
２６  ねじ止め部
２７  キャップ
２７ａ  本体部
２７ｂ  係止部
２７ｃ  位置決部
２７ｄ  凹部
Ｐ  パッキン
Ｓ１、Ｓ２、Ｓ３、Ｓ４  ねじ
【図１】
2014226455.tif 000003
【図２】
2014226455.tif 000004
【図３】
2014226455.tif 000005
【図４】
2014226455.tif 000006
【図５】
2014226455.tif 000007
【図６】
2014226455.tif 000008
【図７】
2014226455.tif 000009
【図８】
2014226455.tif 000010
【図９】
2014226455.tif 000011
【図１０】
2014226455.tif 000012
【図１１】
2014226455.tif 000013
【図１２】
2014226455.tif 000014
【図１３】
2014226455.tif 000015
【図１４】
2014226455.tif 000016
【図１５】
2014226455.tif 000017
【図１６】
2014226455.tif 000018
【図１７】
2014226455.tif 000019
【図１８】
2014226455.tif 000020